(57)【要約】【課題】２種類のＬＥＤの交換時期をそろえることが可能な屋外用照明器具を提供する。【解決手段】屋外用照明器具１は白色ＬＥＤ１１０と青色ＬＥＤ１２０と駆動部２００とを備え、白色ＬＥＤ１１０は、青色の光を発する第１のＬＥＤチップ１１１と、第１のＬＥＤチップ１１１が発する光を第２の波長の光に変更する蛍光体１１２と、蛍光体１１２によって波長を変更された光を反射する第１の反射部材１１３とを含み、青色ＬＥＤ１２０は、青色の光を発する第２のＬＥＤチップ１２１と、第２のＬＥＤチップ１２１が発する光を第２の波長よりも短い第３の波長の光に変更する充填材１２２と、充填材１２２によって波長を変更された光を反射する第２の反射部材１２３とを含み、駆動部２００は、白色ＬＥＤ１１０が駆動される時間よりも青色ＬＥＤ１２０が駆動される時間を短くするように白色ＬＥＤ１１０と青色ＬＥＤ１２０とを駆動する。【選択図】図１
2010080125.tif 000002
【特許請求の範囲】
【請求項１】
第１のＬＥＤと、
第２のＬＥＤと、
前記第１のＬＥＤと前記第２のＬＥＤとを駆動する駆動部とを備え、
前記第１のＬＥＤは、第１の波長の光を発する第１のＬＥＤチップと、前記第１のＬＥＤチップが発する第１の波長の光を第２の波長の光に変更する第１の波長変更部材と、前記第１の波長変更部材によって波長を変更された光を反射するための第１の反射部材とを含み、
前記第２のＬＥＤは、第１の波長の光を発する第２のＬＥＤチップと、前記第２のＬＥＤチップが発する第１の波長の光を前記第２の波長よりも短い第３の波長の光に変更する第２の波長変更部材と、前記第２の波長変更部材によって波長を変更された光を反射するための第２の反射部材とを含み、
前記駆動部は、前記第１のＬＥＤが駆動される時間よりも前記第２のＬＥＤが駆動される時間を短くするように前記第１のＬＥＤと前記第２のＬＥＤとを駆動する、屋外用照明器具。
【請求項２】
前記駆動部は、
前記第１のＬＥＤに第１のパルス幅のパルス電流を第１の周波数で流すことによって前記第１のＬＥＤを駆動し、
前記第２のＬＥＤに前記第１のパルス幅のパルス電流を、前記第１の周波数よりも小さい第２の周波数で流すことによって前記第２のＬＥＤを駆動する、請求項１に記載の屋外用照明器具。
【請求項３】
前記駆動部は、
前記第１のＬＥＤに第１のパルス幅のパルス電流を第１の周波数で流すことによって前記第１のＬＥＤを駆動し、
前記第２のＬＥＤに前記第１のパルス幅よりも幅が短い第２のパルス幅のパルス電流を前記第１の周波数で流すことによって前記第２のＬＥＤを駆動する、請求項１に記載の屋外用照明器具。
【請求項４】
前記駆動部は、
前記第１のＬＥＤに電流を連続的に流すことによって前記第１のＬＥＤを駆動し、
前記第２のＬＥＤにパルス電流を流すことによって前記第２のＬＥＤを駆動する、請求項１に記載の屋外用照明器具。
【請求項５】
前記駆動部は、
前記第１のＬＥＤに第１の波高値の電流を流すことによって前記第１のＬＥＤを駆動し、
前記第２のＬＥＤに前記第１の波高値よりも大きい第２の波高値の電流を流すことによって前記第２のＬＥＤを駆動する、請求項２から請求項４までのいずれか１項に記載の屋外用照明器具。
【請求項６】
前記第１のＬＥＤは白色ＬＥＤであり、前記第２のＬＥＤは青色ＬＥＤであり、
前記白色ＬＥＤは、相対的に下向きに光を照射するように配置され、
前記青色ＬＥＤは、相対的に上向きに光を照射するように配置される、請求項１から請求項５までのいずれか１項に記載の屋外用照明器具。
【発明の詳細な説明】
【技術分野】
【０００１】
この発明は、屋外用照明器具に関する。
【背景技術】
【０００２】
従来、複数の色の光を同時に照射する屋外用照明器具がある。例えば、特開２００８−１３５３８１号公報（特許文献１）には、白色ＬＥＤと青色ＬＥＤとを備える屋外用照明器具が記載されている。この屋外用照明器具では、灯具本体の下方を通過する歩行者や走行車両の円滑な通行を妨げないように灯具の垂直下方位置を白色に発光させるとともに、灯具本体および／またはその近傍を、夜間の視認性がよい青色に発光させている。
【特許文献１】特開２００８−１３５３８１号公報
【発明の開示】
【発明が解決しようとする課題】
【０００３】
ＬＥＤにおいては、反射部材や蛍光体、その他の樹脂部材などが損傷されると、光の透過度が下がってしまう。光の透過度が下がると、屋外用照明器具として必要な明るさを得ることができなくなり、ＬＥＤを交換しなくてはならなくなる。ＬＥＤの反射部材や蛍光体、その他の樹脂部材などの損傷の程度は、ＬＥＤが発する光の波長によって異なる。波長が短い光のエネルギー密度は、波長が長い光のエネルギー密度よりも大きいので、波長がより短い光を発するＬＥＤは、より損傷しやすい。
【０００４】
特開２００８−１３５３８１号公報（特許文献１）に記載の屋外用照明器具のように、光源として２種類のＬＥＤ、例えば、白色ＬＥＤと青色ＬＥＤとを用いる場合には、白色ＬＥＤと青色ＬＥＤが発する光の波長が異なるので、同じ時間、点灯させていても、損傷の程度が異なる。そのため、白色ＬＥＤと青色ＬＥＤの交換の時期がずれて、１種類のＬＥＤだけを備える場合と比較して、交換の回数が倍になってしまう。ＬＥＤの交換の回数が増えると、手間もかかり、交換にかかるコストも増大してしまう。
【０００５】
そこで、この発明の目的は、異なる色の光を発する２種類のＬＥＤの交換時期をそろえることが可能な屋外用照明器具を提供することである。
【課題を解決するための手段】
【０００６】
この発明に従った屋外用照明器具は、第１のＬＥＤと、第２のＬＥＤと、第１のＬＥＤと第２のＬＥＤとを駆動する駆動部とを備える。第１のＬＥＤは、第１の波長の光を発する第１のＬＥＤチップと、第１のＬＥＤチップが発する第１の波長の光を第２の波長の光に変更する第１の波長変更部材と、第１の波長変更部材によって波長を変更された光を反射するための第１の反射部材とを含む。第２のＬＥＤは、第１の波長の光を発する第２のＬＥＤチップと、第２のＬＥＤチップが発する第１の波長の光を第２の波長よりも短い第３の波長の光に変更する第２の波長変更部材と、第２の波長変更部材によって波長を変更された光を反射するための第２の反射部材とを含む。駆動部は、第１のＬＥＤが駆動される時間よりも第２のＬＥＤが駆動される時間を短くするように第１のＬＥＤと第２のＬＥＤとを駆動する。
【０００７】
第１のＬＥＤの第１のＬＥＤチップと、第２のＬＥＤの第２のＬＥＤチップは、どちらも、第１の波長の光を発する。第１のＬＥＤチップが発する第１の波長の光は、第１の波長変更部材によって第２の波長の光に変更されて、第１の反射部材によって反射される。一方、第２のＬＥＤチップが発する第２の波長の光は、第２の波長変更部材によって第３の波長の光に変更されて、第２の反射部材によって反射される。
【０００８】
第１の反射部材には、第２の波長の光が照射される。また、第２の波長の光は、第１のＬＥＤを構成する第１の波長変更部材や、例えば、ＬＥＤの表面を形成する樹脂部材などに当たったり、これらの部材を透過したりする。一方、第２の反射部材には、第３の波長の光が照射される。第３の波長の光は、第２のＬＥＤを構成する第２の波長変更部材や、例えば、ＬＥＤの表面を形成する樹脂部材などにも当たったり、これらの部材を透過したりする。
【０００９】
第３の波長は、第２の波長よりも短い。波長の短い光は、波長の長い光と比較して、エネルギー密度が大きい。そのため、第３の波長の光が照射されたり透過したりする第２のＬＥＤの第２の反射部材や第２の波長変更部材、その他の部材は、第２の波長の光が照射されたり透過したりする第１のＬＥＤの第１の反射部材や第１の波長変更部材やその他の部材と比較して、損傷されやすい。
【００１０】
そこで、駆動部は、第１のＬＥＤが駆動される時間よりも第２のＬＥＤが駆動される時間を短くするように第１のＬＥＤと第２のＬＥＤとを駆動する。
【００１１】
相対的に損傷されにくい第１のＬＥＤが駆動される時間よりも、相対的に損傷されやすい第２のＬＥＤが駆動される時間を短くすることによって、第１のＬＥＤと第２のＬＥＤの損傷の程度の差を小さくすることができる。第１のＬＥＤと第２のＬＥＤの損傷の程度の差が小さいので、第１のＬＥＤと第２のＬＥＤをほぼ同時期に交換することができる。
【００１２】
このようにすることにより、異なる色の光を発する２種類のＬＥＤの交換時期をそろえることが可能な屋外用照明器具を提供することができる。
【００１３】
この発明に従った屋外用照明器具においては、駆動部は、第１のＬＥＤに第１のパルス幅のパルス電流を第１の周波数で流すことによって第１のＬＥＤを駆動し、第２のＬＥＤに第１のパルス幅のパルス電流を、第１の周波数よりも小さい第２の周波数で流すことによって第２のＬＥＤを駆動することが好ましい。
【００１４】
また、この発明に従った屋外用照明器具においては、駆動部は、第１のＬＥＤに第１のパルス幅のパルス電流を第１の周波数で流すことによって第１のＬＥＤを駆動し、第２のＬＥＤに第１のパルス幅よりも幅が短い第２のパルス幅のパルス電流を第１の周波数で流すことによって第２のＬＥＤを駆動することが好ましい。
【００１５】
また、この発明に従った屋外用照明器具においては、駆動部は、第１のＬＥＤに電流を連続的に流すことによって第１のＬＥＤを駆動し、第２のＬＥＤにパルス電流を流すことによって第２のＬＥＤを駆動することが好ましい。
【００１６】
このようにすることにより、たとえば、インバーターなどを用いて簡単に、第２のＬＥＤが発光する時間を第１のＬＥＤが発光する時間よりも短くすることができる。
【００１７】
この発明に従った屋外用照明器具においては、駆動部は、第１のＬＥＤに第１の波高値の電流を流すことによって第１のＬＥＤを駆動し、第２のＬＥＤに第１の波高値よりも大きい第２の波高値の電流を流すことによって第２のＬＥＤを駆動することが好ましい。
【００１８】
第２のＬＥＤが発光する時間は、第１のＬＥＤが発光する時間と比較して短い。そのため、第２のＬＥＤが発する光の視認性が第１のＬＥＤが発する光の視認性と比較して低くなる場合がある。そこで、第２のＬＥＤに流す電流の第２の波高値を、第１のＬＥＤに流す電流の第１の波高値よりも大きくする。このようにすることにより、第２のＬＥＤが発する光を第１のＬＥＤが発する光よりも強くして、第２のＬＥＤが発する光の視認性を高めることができる。
【００１９】
この発明に従った屋外用照明器具においては、第１のＬＥＤは白色ＬＥＤであり、第２のＬＥＤは青色ＬＥＤであり、白色ＬＥＤは、相対的に下向きに光を照射するように配置され、青色ＬＥＤは、相対的に上向きに光を照射するように配置されることが好ましい。
【００２０】
このようにすることにより、パルス電流を流されることによって駆動される青色ＬＥＤが発する光に、白色ＬＥＤが発する光よりもちらつきがあっても、屋外用照明器具の直下の路上には青色のちらつきが目立たないようにすることができる。また、屋外用照明器具から離れたところからは、視認性のよい青色の光が見えるので、防犯効果等を期待することができる。
【発明の効果】
【００２１】
以上のように、この発明によれば、異なる照明光を発する２種類のＬＥＤの交換時期をそろえることが可能な屋外用照明器具を提供することができる。２種類のＬＥＤの交換時期をそろえることができるので、従来の屋外用照明器具と比較してＬＥＤの交換回数を減らすことができる。このようにして、屋外用照明器具においてＬＥＤの交換に必要な手間やコストを低減することができる。
【発明を実施するための最良の形態】
【００２２】
以下、この発明の実施の形態を図面に基づいて説明する。
【００２３】
（第１実施形態）
図１は、この発明の第１実施形態として、屋外用照明器具の全体を示す図である。
【００２４】
図１に示すように、屋外用照明器具１は、主に、支柱４００と、支柱４００から突出するように支柱４００に取り付けられる灯具１００と、支柱４００の上部に取り付けられるソーラーパネル３１０と、支柱４００の内部に配置される駆動部２００と蓄電池３２０とを備える。支柱４００は地面５００上に立設され、灯具１００は、地面５００から所定の高さの位置に保持される。
【００２５】
ソーラーパネル３１０は蓄電池３２０に接続されており、太陽光を利用して蓄電池３２０を充電する。屋外用照明器具１は、屋外に設置されるものであり、主に夜間に周囲を照明する。そこで、このように、屋外用照明器具１がソーラーパネル３１０と蓄電池３２０とを備えることにより、屋外用照明器具１が周囲を照明する必要がない昼間に蓄電池３２０を充電しておき、夜間には、充電された蓄電池３２０によって屋外用照明器具１を駆動させることができる。
【００２６】
図２は、灯具を図１に示す矢印ＩＩの方向から見たときの状態を模式的に示す矢視図である。
【００２７】
図２に示すように、灯具１００は、上面板１０１と、上面板１０１の下面側に配置される透光板１０２と、上面板１０１と透光板１０２との間に配置される第１の支持板１０３と第２の支持板１０４と、第１の支持板１０３に配置される複数の白色ＬＥＤ１１０と、第２の支持板１０４に配置される複数の青色ＬＥＤ１２０とを有する。白色ＬＥＤ１１０は第１のＬＥＤの一例であり、青色ＬＥＤ１２０は第２のＬＥＤの一例である。ＬＥＤ（発光ダイオード）は、発光デバイスの一例である。
【００２８】
第１の支持板１０３は、板状に形成されており、ほぼ水平に配置されている。複数の白色ＬＥＤ１１０は、板状の第１の支持板１０３の下面に、ほぼ鉛直下向きに光を照射するように配置されている。
【００２９】
第２の支持板１０４は、板状に形成されており、第１の支持板１０３の上面と上面板１０１との間に、水平面から所定の角度、傾けられて配置されている。複数の青色ＬＥＤ１２０は、鉛直下向きから所定の角度、傾いた方向を照射するように配置されている。
【００３０】
板状の第１の支持板１０３は、複数の青色ＬＥＤ１２０の真下に配置されている。そのため、青色ＬＥＤ１２０から発する光の一部は、第１の支持板１０３に遮られて下方向を照射しにくくなっている。また、青色ＬＥＤ１２０から発する光の一部は、第１の支持板１０３の上面で反射して、相対的に上方向を照射する。このように、白色ＬＥＤ１１０は、灯具１００のほぼ鉛直下方を照射し、青色ＬＥＤ１２０は、白色ＬＥＤ１１０によって照射される範囲の外側を照射する。図２の地面５００上にＡで示す範囲は、白色ＬＥＤ１１０によって照射される。一方、図２のＢで示す範囲は、青色ＬＥＤ１２０と、白色ＬＥＤ１１０の両方によって照射される。なお、図２においては、地面５００と灯具１００との距離を短くして示している。
【００３１】
上面板１０１の下面と、第１の支持板１０３と、白色ＬＥＤ１１０と、第２の支持板１０４と、青色ＬＥＤ１２０は、透光板１０２によって覆われている。
【００３２】
図３は、灯具に配置される白色ＬＥＤの内部を模式的に示す断面図（Ａ）と、青色ＬＥＤの内部を模式的に示す断面図（Ｂ）である。
【００３３】
図３の（Ａ）に示すように、白色ＬＥＤ１１０は、第１のＬＥＤチップ１１１と、第１のＬＥＤチップ１１１の側面を取り囲むように配置される第１の反射部材１１３と、第１のＬＥＤチップ１１１の周囲に充填される第１の波長変更部材として蛍光体１１２と、第１のＬＥＤチップ１１１と第１の反射部材１１３と蛍光体１１２の全体を覆う樹脂体１１４とから構成されている。この実施の形態においては、第１のＬＥＤチップ１１１は、第１の波長の光として青色の光を発し、蛍光体１１２は、黄色の蛍光体１１２であるとする。なお、蛍光体１１２は、第１のＬＥＤチップ１１１の周囲に充填される他、樹脂体１１４の内部において第１のＬＥＤチップ１１１から発する光が透過する位置に塗られていてもよい。樹脂体１１４は、透明で、光の波長を変更しにくい材質によって構成されている。
【００３４】
第１のＬＥＤチップ１１１から発する青色の光は、蛍光体１１２を通過しながら、次第に、波長が長い第２の波長の光に変更される。蛍光体１１２によって波長が変更された光は、樹脂体１１４を通って、白色ＬＥＤ１１０の外部に照射される。蛍光体１１２によって波長が変更された光の一部は、第１の反射部材１１３によって反射された後、樹脂体１１４を通って白色ＬＥＤ１１０の外部に照射される。また、蛍光体１１２によって波長が変更された光の一部は、第１の反射部材１１３によって反射されずに、そのまま樹脂体１１４を通って白色ＬＥＤ１１０の外部に照射されたり、蛍光体１１２と樹脂体１１４との境界面で反射された後、第１の反射部材１１３で反射されてから樹脂体１１４を通って白色ＬＥＤ１１０の外部に照射されたりする。白色ＬＥＤ１１０の外部に照射される光は、白色の光である。
【００３５】
図３の（Ｂ）に示すように、青色ＬＥＤ１２０は、第２のＬＥＤチップ１２１と、第２のＬＥＤチップ１２１の側面を取り囲むように配置される第２の反射部材１２３と、第２のＬＥＤチップ１２１の周囲に充填される第２の波長変更部材として充填材１２２と、第２のＬＥＤチップ１２１と第２の反射部材１２３と充填材１２２の全体を覆う樹脂体１２４とから構成されている。この実施の形態においては、第２のＬＥＤチップ１２１は、第１のＬＥＤチップ１１１と同じ種類のＬＥＤチップであり、第１の波長の光として青色の光を発するものとする。樹脂体１２４は、透明で、光の波長を変更しにくい材質によって構成されている。
【００３６】
この実施の形態においては、第２のＬＥＤチップ１２１から発する青色の光は、充填材１２２を通過することによって、多少、波長が長い第３の波長の光に変更されるが、青色から大きく色が変更されることはないものとする。充填材１２２によって波長が変更された光は、樹脂体１２４を通って、青色の光のまま、青色ＬＥＤ１２０の外部に照射される。充填材１２２によって波長が変更された光の一部は、第２の反射部材１２３によって反射された後、樹脂体１２４を通って青色ＬＥＤ１２０の外部に照射される。また、充填材１２２によって波長が変更された光の一部は、第２の反射部材１２３によって反射されずに、そのまま樹脂体１２４を通って青色ＬＥＤ１２０の外部に照射されたり、充填材１２２と樹脂体１２４との境界面で反射された後、第２の反射部材１２３で反射されてから樹脂体１２４を通って青色ＬＥＤ１２０の外部に照射されたりする。青色ＬＥＤ１２０の外部に照射される光は、青色の光である。
【００３７】
第１のＬＥＤチップ１１１と第２のＬＥＤチップ１２１は、どちらも、同じ青色の光を発する。第２のＬＥＤチップ１２１から発する光は、充填材１２２を通過しても、波長が大きく変更されない。一方、第１のＬＥＤチップ１１１から発する光は、黄色の蛍光体１１２を通過することによって、波長が長い光に変更される。このようにして、第２のＬＥＤチップ１２１から発して充填材１２２を通過した光は、第１のＬＥＤチップ１１１から発して蛍光体１１２を通過した光と比較して、波長が短くなる。
【００３８】
図４は、この発明の第１実施形態に係る屋外用照明器具の制御関連の構成を示すブロック図である。
【００３９】
図４に示すように、屋外用照明器具１は、制御関連の構成として、ソーラーパネル３１０に接続される蓄電池３２０から電力を供給される駆動部２００と、白色ＬＥＤ回路２１３と、青色ＬＥＤ回路２２３とを備える。駆動部２００は、コントローラー２０１と、ＤＣＤＣコンバーター２１１と、インバーター２１２と、ＤＣＤＣコンバーター２２１と、インバーター２２２とから構成されている。白色ＬＥＤ回路２１３は、白色ＬＥＤ１１０（図２）に接続され、白色ＬＥＤ１１０に電力を供給する。青色ＬＥＤ回路２２３は、青色ＬＥＤ１２０（図２）に接続され、青色ＬＥＤ１２０に電力を供給する。
【００４０】
蓄電池３２０の電圧は、ＤＣＤＣコンバーター２１１とＤＣＤＣコンバーター２２１によって変更されて、インバーター２１２とインバーター２２２に供給される。コントローラー２０１は、ＤＣＤＣコンバーター２１１とＤＣＤＣコンバーター２２１に制御信号を送信して、インバーター２１２とインバーター２２２への供給電圧の大きさを制御する。また、コントローラー２０１は、インバーター２１２に制御信号を送信して、白色ＬＥＤ回路２１３に流す電流の周波数やオンパルス幅や波高値等を調整し、インバーター２２２に制御信号を送信して、青色ＬＥＤ回路２２３に流す電流の周波数やオンパルス幅や波高値等を調整する。このようにして、白色ＬＥＤ１１０と青色ＬＥＤ１２０を駆動するための電流の周波数やオンパルス幅や波高値等を調整する。
【００４１】
駆動部２００による白色ＬＥＤ１１０と青色ＬＥＤ１２０の駆動の例としては、次の（１）〜（３）のいずれかのようにすることが好ましい。
【００４２】
（１）駆動部２００は、白色ＬＥＤ１１０に第１のパルス幅のパルス電流を第１の周波数で流すことによって白色ＬＥＤ１１０を駆動し、青色ＬＥＤ１２０に第１のパルス幅のパルス電流を、第１の周波数よりも小さい第２の周波数で流すことによって青色ＬＥＤ１２０を駆動する。例えば、駆動部２００は、白色ＬＥＤ１１０に５ｍｓｅｃのパルス幅のパルス電流を１００Ｈｚの周波数で流すことによって白色ＬＥＤ１１０を駆動し、青色ＬＥＤ１２０に５ｍｓｅｃのパルス幅のパルス電流を、１００Ｈｚよりも小さい６０Ｈｚで流すことによって青色ＬＥＤ１２０を駆動する。
【００４３】
（２）駆動部２００は、白色ＬＥＤ１１０に第１のパルス幅のパルス電流を第１の周波数で流すことによって白色ＬＥＤ１１０を駆動し、青色ＬＥＤ１２０に第１のパルス幅よりも幅が短い第２のパルス幅のパルス電流を第１の周波数で流すことによって青色ＬＥＤ１２０を駆動する。例えば、駆動部２００は、白色ＬＥＤ１１０に５ｍｓｅｃのパルス幅のパルス電流を１００Ｈｚの周波数で流すことによって白色ＬＥＤ１１０を駆動し、青色ＬＥＤ１２０に５ｍｓｅｃよりも幅が短い３ｍｓｅｃのパルス幅のパルス電流を１００Ｈｚの周波数で流すことによって青色ＬＥＤ１２０を駆動する。
【００４４】
（３）駆動部２００は、白色ＬＥＤ１１０に電流を連続的に流すことによって白色ＬＥＤ１１０を駆動し、青色ＬＥＤ１２０にパルス電流を流すことによって青色ＬＥＤ１２０を駆動する。
【００４５】
（１）〜（３）のようにすることにより、インバーターとインバーター２１２，２２２を用いて簡単に、青色ＬＥＤ１２０が発光する時間を白色ＬＥＤ１１０が発光する時間よりも短くすることができる。
【００４６】
また、駆動部２００は、白色ＬＥＤ１１０に第１の波高値の電流を流すことによって白色ＬＥＤ１１０を駆動し、青色ＬＥＤ１２０に第１の波高値よりも大きい第２の波高値の電流を流すことによって青色ＬＥＤ１２０を駆動する。例えば、駆動部２００は、白色ＬＥＤ１１０に１０ｍＡの電流を流すことによって白色ＬＥＤ１１０を駆動し、青色ＬＥＤ１２０に１０ｍＡよりも大きい２０ｍＡの電流を流すことによって青色ＬＥＤ１２０を駆動する。
【００４７】
上述の（１）〜（３）のようにして白色ＬＥＤ１１０と青色ＬＥＤ１２０を駆動することによって、青色ＬＥＤ１２０が発光する時間は、白色ＬＥＤ１１０が発光する時間と比較して短くなる。そのため、青色ＬＥＤ１２０が発する光の視認性が、白色ＬＥＤ１１０が発する光の視認性と比較して低くなる場合がある。そこで、青色ＬＥＤ１２０に流す電流の第２の波高値を、白色ＬＥＤ１１０に流す電流の第１の波高値よりも大きくする。このようにすることにより、青色ＬＥＤ１２０が発する光を白色ＬＥＤ１１０が発する光よりも強くして、青色ＬＥＤ１２０が発する光の視認性を高めることができる。
【００４８】
以上のように、屋外用照明器具１は、白色ＬＥＤ１１０と、青色ＬＥＤ１２０と、白色ＬＥＤ１１０と青色ＬＥＤ１２０とを駆動する駆動部２００とを備え、白色ＬＥＤ１１０は、青色の光を発する第１のＬＥＤチップ１１１と、第１のＬＥＤチップ１１１が発する青色の光を第２の波長の光に変更する蛍光体１１２と、蛍光体１１２によって波長を変更された光を反射するための第１の反射部材１１３とを含み、青色ＬＥＤ１２０は、青色の光を発する第２のＬＥＤチップ１２１と、第２のＬＥＤチップ１２１が発する青色の光を第２の波長よりも短い第３の波長の光に変更する充填材１２２と、充填材１２２によって波長を変更された光を反射するための第２の反射部材１２３とを含み、駆動部２００は、白色ＬＥＤ１１０が駆動される時間よりも青色ＬＥＤ１２０が駆動される時間を短くするように白色ＬＥＤ１１０と青色ＬＥＤ１２０とを駆動する。
【００４９】
白色ＬＥＤ１１０の第１のＬＥＤチップ１１１と、青色ＬＥＤ１２０の第２のＬＥＤチップ１２１は、どちらも、青色の光を発する。第１のＬＥＤチップ１１１が発する青色の光は、蛍光体１１２によって第２の波長の光に変更されて、第１の反射部材１１３によって反射される。一方、第２のＬＥＤチップ１２１が発する第２の波長の光は、充填材１２２によって第３の波長の光に変更されて、第２の反射部材１２３によって反射される。
【００５０】
第１の反射部材１１３には、第２の波長の光が照射される。また、第２の波長の光は、白色ＬＥＤ１１０を構成する蛍光体１１２や、例えば、白色ＬＥＤ１１０の表面を形成する樹脂体１１４などに当たったり、これらの部材を透過したりする。一方、第２の反射部材１２３には、第３の波長の光が照射される。相対的に波長が長い青色の光は、青色ＬＥＤ１２０を構成する充填材１２２や、例えば、青色ＬＥＤ１２０の表面を形成する樹脂体１２４などにも当たったり、これらの部材を透過したりする。
【００５１】
第３の波長は、第２の波長よりも短い。波長の短い光は、波長の長い光と比較して、エネルギー密度が大きい。そのため、第３の波長の光が照射されたり透過したりする青色ＬＥＤ１２０の第２の反射部材１２３や充填材１２２、その他の部材は、第２の波長の光が照射されたり透過したりする白色ＬＥＤ１１０の第１の反射部材１１３や蛍光体１１２やその他の部材と比較して、損傷されやすい。
【００５２】
そこで、駆動部２００は、白色ＬＥＤ１１０が駆動される時間よりも青色ＬＥＤ１２０が駆動される時間を短くするように白色ＬＥＤ１１０と青色ＬＥＤ１２０とを駆動する。
【００５３】
相対的に損傷されにくい白色ＬＥＤ１１０が駆動される時間よりも、相対的に損傷されやすい青色ＬＥＤ１２０が駆動される時間を短くすることによって、白色ＬＥＤ１１０と青色ＬＥＤ１２０の損傷の程度の差を小さくすることができる。白色ＬＥＤ１１０と青色ＬＥＤ１２０の損傷の程度の差が小さいので、白色ＬＥＤ１１０と青色ＬＥＤ１２０をほぼ同時期に交換することができる。
【００５４】
このようにすることにより、異なる色の光を発する２種類のＬＥＤの交換時期をそろえることが可能な屋外用照明器具１を提供することができる。２種類のＬＥＤの交換時期をそろえることができるので、従来の屋外用照明器具と比較してＬＥＤの交換回数を減らすことができる。このようにして、屋外用照明器具においてＬＥＤの交換に必要な手間やコストを低減することができる。
【００５５】
また、屋外用照明器具１においては、白色ＬＥＤ１１０は、相対的に下向きに光を照射するように配置され、青色ＬＥＤ１２０は、相対的に上向きに光を照射するように配置される。
【００５６】
このようにすることにより、パルス電流を流されることによって駆動される青色ＬＥＤ１２０が発する光に、白色ＬＥＤ１１０が発する光よりもちらつきがあっても、屋外用照明器具１の直下の路上には青色のちらつきが目立たないようにすることができる。また、屋外用照明器具１から離れたところからは、視認性のよい青色の光が見えるので、防犯効果等を期待することができる。
【００５７】
（第２実施形態）
この発明の第２実施形態の屋外用照明器具の全体の主な構成は、図１に示す第１実施形態の屋外用照明器具１と同様である。第２実施形態の屋外用照明器具は、第１実施形態の屋外用照明器具１とは、灯具の形態が異なる。
【００５８】
図５は、この発明の第２実施形態として、灯具を図１に示す矢印ＩＩの方向から見たときの状態を模式的に示す矢視図である。
【００５９】
図５に示すように、第２実施形態の灯具６００は、上面板６０１と、上面板６０１の下面側に配置される透光板６０２と、上面板６０１と透光板６０２との間に配置される支持部材６０３と、支持部材６０３に配置される複数の白色ＬＥＤ１１０と複数の青色ＬＥＤ１２０と、白色ＬＥＤ１１０と青色ＬＥＤ１２０の間に配置される遮光板６０４とを有する。白色ＬＥＤ１１０は第１のＬＥＤの一例であり、青色ＬＥＤ１２０は第２のＬＥＤの一例である。上面板６０１の下面と、支持部材６０３と、白色ＬＥＤ１１０と、遮光板６０４と、青色ＬＥＤ１２０は、透光板６０２によって覆われている。
【００６０】
複数の白色ＬＥＤ１１０は、斜め下方向を照射するように、支持部材６０３の下部に配置されている。複数の青色ＬＥＤ１２０は、斜め下方向を照射するように、支持部材６０３の上部に配置されている。複数の白色ＬＥＤ１１０と複数の青色ＬＥＤ１２０との間には、遮光板６０４が配置されている。
【００６１】
白色ＬＥＤ１１０から照射される光は、遮光板６０４が白色ＬＥＤ１１０の上方に配置されているので、遮光板６０４に遮られて、上方向には照射されにくい。一方、青色ＬＥＤ１２０から照射される光は、遮光板６０４が青色ＬＥＤ１２０の下方に配置されているので、遮光板６０４に遮られて、下方向には照射されにくい。
【００６２】
このように、白色ＬＥＤ１１０は、灯具６００のほぼ鉛直下方を照射し、青色ＬＥＤ１２０は、白色ＬＥＤ１１０によって照射される範囲の外側を照射する。
【００６３】
第２実施形態の屋外用照明器具のその他の構成と効果は、第１実施形態の屋外用照明器具と同様である。
【００６４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【図面の簡単な説明】
【００６５】
【図１】この発明の第１実施形態として、屋外用照明器具の全体を示す図である。
【図２】灯具を図１に示す矢印ＩＩの方向から見たときの状態を模式的に示す矢視図である。
【図３】灯具に配置される白色ＬＥＤの内部を模式的に示す断面図（Ａ）と、青色ＬＥＤの内部を模式的に示す断面図（Ｂ）である。
【図４】この発明の第１実施形態に係る屋外用照明器具の制御関連の構成を示すブロック図である。
【図５】この発明の第２実施形態として、灯具を図１に示す矢印ＩＩの方向から見たときの状態を模式的に示す矢視図である。
【符号の説明】
【００６６】
１：屋外用照明器具、１１０：白色ＬＥＤ、１１１：第１のＬＥＤチップ、１１２：蛍光体、１１３：第１の反射部材、１２０：青色ＬＥＤ、１２１：第２のＬＥＤチップ、１２２：充填材、１２３：第２の反射部材、２００：駆動部。
【図１】
2010080125.tif 000003
【図２】
2010080125.tif 000004
【図３】
2010080125.tif 000005
【図４】
2010080125.tif 000006
【図５】
2010080125.tif 000007